(57)【要約】【課題】開封して食べ残しても残りの板チョコレートの保管が密封して容易にでき、残りの板チョコレートを再び食べるのも開封が容易にできる板チョコレートの包装構造を提供する。【解決手段】板チョコレートはプラスチックフィルムで形成された袋体に収納されている。袋体の一端部寄りの側面に切り取ることによって開口できる切取線が設けられる。切取線に沿って切り取って形成される開口には、開口を開閉できるファスナーが設けられている。【選択図】　　　　　図１
0003097323.tif 000002
【実用新案登録請求の範囲】
【請求項１】
板チョコレートはプラスチックフィルムで形成された袋体に収納され、該袋体は周縁が密着して密封されると共に、該密封された一端部寄りの側面に切り取ることによって開口できる切取線が設けられ、かつ、この切取線より中央寄りの袋体の内側面には、切取線に沿って切り取って形成される開口を開閉できるファスナーが設けられていることを特徴とする板チョコレートの包装構造。
【請求項２】
前記切取線の袋体の端部の位置は、切り取りを容易にする切り込みが設けられていることを特徴とする請求項１記載の板チョコレートの包装構造。
【請求項３】
前記切取線は、弱め線またはミシン目である請求項１または２記載の板チョコレートの包装構造。
【考案の詳細な説明】
【０００１】
【考案の属する技術分野】
この考案は、板チョコレートの包装構造に関し、特に、開封して食べ残しても残りの板チョコレートの保管が容易であるし、残りの板チョコレートを再び食べるのも容易な板チョコレートの包装構造に関する。
【０００２】
【従来の技術】
従来の板チョコレートの包装構造は、通常、図７に示すように板チョコレート１１がアルミニウム箔のラミネート紙１３で包装され、その外側が包装紙１４で包装された包装構造となっている。板チョコレート１１は、１枚が縦および横に設けられた溝１２により区画されており、この溝１２で区画された１区画は１口大の大きさとなっており、この溝１２により容易に切り欠くことができ、１口大に切り欠いて食べることができる。また、板チョコレート１１が溝１２で１口大の大きさに区画されているのは、切り欠いて食べ易くする他に、一度に１枚を全部食べることが少ないので、少しづつ切り欠いて食べることができるようにするためでもある。
【０００３】
【考案が解決しようとする課題】
しかしながら、図７に示すような従来の板チョコレートの包装構造では、包装紙１４およびラミネート紙１３を開いて板チョコレート１１を食べた後に、食べ残すとその保管に苦慮しているのが実情であり、ほとんどの場合開封したラミネート紙１３および包装紙１４で再び包装して保管している。ラミネート紙１３および包装紙１４で再び包装しても密閉性には欠けるし、不衛生でもある。少しづつ食べることを繰り返すと。開封および再包装を繰り返すのでラミネート紙１３および包装紙１４は、しわくちゃになるし、破れることもあるので状態は一層悪くなる。
この考案は、このような課題を解決せんと提案されたものであり、その目的は、開封して食べ残しても残りの板チョコレートの保管が密封して容易にでき、残りの板チョコレートを再び食べるのも開封が容易にできるし、繰り返しの開閉も可能な板チョコレートの包装構造の提供にある。
【０００４】
【課題を解決するための手段】
前記課題を解決するため、この考案の板チョコレートの包装構造は、板チョコレートがプラスチックフィルムで形成された袋体に収納され、該袋体は周縁が密着して密封されると共に、該密封された一端部寄りの側面に切り取ることによって開口できる切取線が設けられ、かつ、この切取線より中央寄りの袋体の内側面には、切取線に沿って切り取って形成される開口を開閉できるファスナーが設けられていることを特徴とする。
これにより板チョコレートは、プラスチックフィルムで形成された袋体に収納されて密封されているが、食べる時は切取線より袋体の端部側を切り取れば開口が形成されるので、板チョコレートを該開口より取り出して食べることができる。この時、ファスナーが閉塞状態の時は、ファスナーも開く作業もする。食べ残しがある場合には袋体に戻し、開口は開閉可能なファスナーで密封できる。このファスナーは、開閉可能なので少しづつ何回に分けて食べても開口は繰り返し開閉できる。
【０００５】
また、この考案の板チョコレートの包装構造は、前記切取線の袋体の端部の位置には、切り取りを容易にする切り込みが設けられていることを特徴とする。
これにより切取線に沿っての切り取りが容易となる。この切り込みとしては、Ｖ字状や切り込み線を例示できる。
【０００６】
さらに、この考案の板チョコレートの包装構造は、前記切取線として、弱め線またはミシン目を挙げることができる。
これにより切取線に沿っての切り取りが容易となる。弱め線またはミシン目は好ましい例示であって、この考案はこれに限定されない。切取線とは、切り取られる位置を示すものであって、ミシン目のように実際に線状にあらわれる場合だけでなく、線状にあらわれない場合も含む。例えば、前記したように袋体の端部に切り込みがある場合は、ミシン目などを設けなくてもそこから容易に引き裂いて切り取ることができるからである。
【０００７】
【考案の実施の形態】
以下、この考案を図面に示す実施の形態について詳細に説明する。図１はこの考案の実施の形態に係る板チョコレートの包装構造を示す斜視図、図２はこの考案の実施の形態に係る板チョコレートの包装構造を示す要部断面図である。
この板チョコレートの包装構造は、板チョコレート１がプラスチックフィルムで形成された袋体３に密封されて収納されている。
【０００８】
板チョコレート１は、表面側が縦および横に設けられた溝２により区画されており、本例ではこの板チョコレート１が袋体３に収納されている。板チョコレート１の溝２で区画された１区画は１口大の大きさとなっており、この溝２により１口大に容易に切り欠いて食べることができる。
【０００９】
板チョコレート１の袋体３への収納は、予め一端部４を開口する袋状に形成し、この開口より袋体３内に板チョコレート１を収納した後に、一端部４の開口を密封してもよいし、図２に示すように表面側のプラスチックフィルム３ａと裏面側のプラスチックフィルム３ｂとの間に板チョコレート１を位置させた後、表裏面のプラスチックフィルム３ａ、３ｂを周囲において密着して袋体３として、板チョコレート１が袋体３に収納された形態にしてもよい。
【００１０】
このプラスチックフィルムで形成された袋体３には、密封された一端部４側の端部近傍の側面に、図３に示すように切り取ることによって開口できる切取線５が設けられており、この切取線５の袋体３の端部の位置には、切り取りを容易にする切り込み６が設けられている。
切取線５とは、切り取られる位置を示すものであって、実際に切取線があらわれる場合だけでなく、あらわれない場合も含む。実際に切取線５があらわれる場合としてミシン目を例示できる。切取線５があらわれない場合として、弱い線の加工を施した場合および何も加工しない場合がある。何も加工しなくても、プラスチックフィルムの材質によっては、切り込み６があるとその部分から引き裂いて切り取ることができるからである。
また、前記切り込み６は、切り取りを容易にするものであって、構成に特に制限はない。一例としてＶ字状および半円状の切り込みや、単に切り込み線だけを例示できる。
【００１１】
前記切取線５より中央寄りの袋体３の内側面には、図３に示すように袋体３の端片４ａを切取線５に沿って切り取った後に形成される開口７を開閉できるファスナー８が設けられている。即ち、袋体３は外周縁が密着されて板チョコレート１は密封されて収納されているが、板チョコレート１を食べようとして袋体３の端片４ａを切取線５に沿って切り取ると、袋体３に開口７が形成され、この開口７より板チョコレート１を出入りすることができる。ファスナー８はこの開口７を開閉するものである。
このファスナー８は、通称ジッパーとかチャックとも称されているものであり、従来公知の手段を採用しうる。
【００１２】
図３乃至図６は、この考案の実施の形態に係る板チョコレートの包装構造の作用を工程順に示す斜視図である。
当初、板チョコレート１は図１に示すようにプラスチックフィルムで形成された袋体３に収納されて密封されている。そこで図３に示すように袋体３の端片４ａを切取線５に沿って切り取ると、図４に示すように袋体３に開口７が形成される。この時、ファスナー８は閉じている時もあるし、開いている時もあるが、通常は閉じている。ファスナー８が閉じている時は開くことによって開口７は解放できる。従って、板チョコレート１は、図５に示すように解放された開口７より取り出すことができるし、また、図６に示すように袋体３内に戻し開口７をファスナー８で密封することで再度保管が可能となる。
【００１３】
しかして、この考案の板チョコレートの包装構造では、当初、板チョコレート１はプラスチックフィルムで形成された袋体３に収納されて密封されているが、板チョコレート１を食べるときは、袋体３の端片４ａを切取線５に沿って切り取って、かつファスナー８を開き、開口７を形成することで、開口７より板チョコレート１を出して食べることができる。また、板チョコレート１の食べ残しがある場合には、袋体３内に戻し、ファスナー８で開口を密封して保管することができる。
なお、前記実施の形態は、この考案を制限するものではなく、この考案は要旨を逸脱しない範囲において種々の変形が許容される。
【００１４】
【考案の効果】
以上詳細に説明した通り、この考案の板チョコレートの包装構造によれば、次のような効果を奏する。
（１）プラスチックフィルムで形成された袋体に密封されている板チョコレートを食べる時は、袋体の端部側を切取線に沿って切り取り開口を形成して、該開口より板チョコレートを取り出し食べることができ、食べ残しがある場合には袋体内に戻し、開口は開閉可能なファスナーで密封できる。従って、開封して食べ残しても残りの板チョコレートの保管が密封して容易にでき、残りの板チョコレートを再び食べるのも開封が容易にできるし、繰り返しの開閉もできる。
【００１５】
（２）切取線の袋体の端部位置には、切り込みが設けられているので、袋体の端部側を切取線に沿って切り取るのが容易であり、袋体の開封が容易にできる。
【図面の簡単な説明】
【図１】この考案の実施の形態に係る板チョコレートの包装構造を示す斜視図である。
【図２】この考案の実施の形態に係る板チョコレートの包装構造を示す要部断面図である。
【図３】この考案の実施の形態に係る板チョコレートの包装構造の作用を示す要部斜視図である。
【図４】この考案の実施の形態に係る板チョコレートの包装構造の作用を示す次の工程の要部斜視図である。
【図５】この考案の実施の形態に係る板チョコレートの包装構造の作用を示すまた次の工程の要部斜視図である。
【図６】この考案の実施の形態に係る板チョコレートの包装構造の作用を示すさらに次の工程の要部斜視図である。
【図７】従来例を示す一部破断斜視図である。
【符号の説明】
１　板チョコレート
３　袋体
５　切取線
６　切り込み
７　開口
８　ファスナー
【図１】
0003097323.tif 000003
【図２】
0003097323.tif 000004
【図３】
0003097323.tif 000005
【図４】
0003097323.tif 000006
【図５】
0003097323.tif 000007
【図６】
0003097323.tif 000008
【図７】
0003097323.tif 000009